(57)【特許請求の範囲】
【請求項１】
外部ネットワークを介して所要の情報を外部と通信可能な情報処理装置において、外部からの電子メールにて指示されたＵＲＬを、ＷＷＷブラウザ起動時のＵＲＬ（ユニフォームリソースロケーター）として保管部に保管する設定手段と、ＷＷＷブラウザの起動時に、前記保管されているＵＲＬのホームページ情報を受信して表示出力するブラウジング手段を備え、
前記情報処理装置において、前記電子メールにて指示されたＵＲＬが、現時点より将来おける保存を指示するものである場合には、その将来が到来した時にそのＵＲＬをＷＷＷブラウザ起動時に用いることができるように予約しておく予約手段を、
備えることを特徴とする情報処理装置。
【請求項２】
前記設定手段は、前記電子メールにて指示されたＵＲＬをより新しい日付で有効となるＵＲＬで置き換えて保管部に保管していく手段であることを特徴とする請求項１に記載の情報処理装置。
【請求項３】
外部ネットワークを介して所要の情報を外部と通信可能な情報処理装置により処理を行うための処理プログラムを記録したコンピューター読み取り可能な記録媒体であって、外部からの電子メールにて指示されたＵＲＬを、ＷＷＷブラウザ起動時のＵＲＬ（ユニフォームリソースロケーター）として保管部に保管する処理と、ＷＷＷブラウザの起動時に、前記保管されているＵＲＬのホームページ情報を受信して表示出力する処理と、
前記電子メールにて指示されたＵＲＬが、現時点より将来おける保存を指示するものである場合には、その将来が到来した時にそのＵＲＬをＷＷＷブラウザ起動時に用いることができるように予約しておく予約手段を、
を含む処理を実行させるための処理プログラムを記録した記録媒体。
【発明の詳細な説明】
【０００１】
【発明の属する技術分野】
本発明は、外部からの電子メールによって、ＷＷＷブラウザの起動時のＵＲＬ（Uniform  Resource  Locator）を設定可能な情報処理装置およびそのための処理プログラムを記録する記録媒体に関する。
【０００２】
【従来の技術】
近年、インターネットが盛んになり、情報処理装置にインストールしたＷＷＷブラウザを起動して様々なホームページを閲覧することが可能となっている。そして、従来では、ＷＷＷブラウザのスタート時のホームページを変更するには、使用者や情報管理者が手動で情報処理装置毎に初期ＵＲＬの設定変更を行っていた。
【発明が解決しようとする課題】
しかしながら、このような従来の手法によれば、手動でＵＲＬを変更しなければならないため、情報処理装置の台数が多いほど変更作業量が増えるという問題があった。極端な例を挙げると、例えば、使用者が毎日異なる情報処理装置で異なる業務をしなければならない場合、毎日変更作業を行わなければならず、その変更作業は手動で行っていたため、大変わずらわしいものであった。
【０００３】
本発明は、このような従来の課題を解決するためになされたもので、電子メールを用いてＷＷＷブラウザの起動時のＵＲＬ（Uniform  Resource  Locator）を設定可能な情報処理装置およびそのための処理プログラムを記録する記録媒体を提供することを目的とする。
【課題を解決するための手段】
上記目的を達成するために、本発明の内の請求項１に係る発明は、外部ネットワークを介して所要の情報を外部と通信可能な情報処理装置において、
外部からの電子メールにて指示されたＵＲＬを、ＷＷＷブラウザ起動時のＵＲＬ（ユニフォームリソースロケーター）として保管手段に保管させる設定手段と、
ＷＷＷブラウザの起動時に、前記保管されているＵＲＬのホームページ情報を受信して表示出力するブラウジング手段と、を備えることを特徴とするようにした。
【０００４】
この請求項１に係る発明においては、外部からの電子メールにて指示されたＵＲＬを、ＷＷＷブラウザ起動時のＵＲＬとして保管部に保管し、ＷＷＷブラウザの起動時に、保管されているＵＲＬのホームページ情報を受信して表示出力するので、電子メールによって自動でＷＷＷブラウザの起動時のＵＲＬを設定可能となり、ＷＷＷブラウザ起動時にはこのＵＲＬのホームページ情報を受信して出力できる。
【０００５】
また、請求項２に係る発明は、請求項１に記載の情報処理装置において、
前記設定手段は、
前記電子メールにて指示されたＵＲＬをより新しいＵＲＬで置き換えて保管部に保管していく手段であることを特徴としており、これによれば、常時より新しいＵＲＬが保管部に保管されていくので、間違って古いＵＲＬで新しいＵＲＬを上書きすることがない。
【０００６】
また、請求項３に係る発明は、請求項１および２の内のいずれか一項に記載の情報処理装置において、
前記電子メールにて指示されたＵＲＬが、現時点より将来おける保存を指示するものである場合には、その将来が到来した時にそのＵＲＬをＷＷＷブラウザ起動時に用いることができるように予約しておく予約手段を、備えたことを特徴としており、これによれば、その将来が到来した時にそのＵＲＬをＷＷＷブラウザ起動時に用いることができるようにするので、将来において用いるＵＲＬも電子メールで設定可能となる。
【０００７】
また、請求項４に係る発明は、外部ネットワークを介して所要の情報を外部と通信可能な情報処理装置により処理を行うための処理プログラムを記録したコンピューター読み取り可能な記録媒体であって、
外部からの電子メールにて指示されたＵＲＬを、ＷＷＷブラウザ起動時のＵＲＬ（ユニフォームリソースロケーター）として保管部に保管する処理と、
ＷＷＷブラウザの起動時に、前記保管されているＵＲＬのホームページ情報を受信して表示出力する処理と、を含む処理を実行させるための処理プログラムを記録した記録媒体である。
【０００８】
コンピューターが処理プログラムを実行すると、外部からの電子メールにて指示されたＵＲＬを、ＷＷＷブラウザ起動時のＵＲＬとして保管部に保管する処理と、ＷＷＷブラウザの起動時に、保管されているＵＲＬのホームページ情報を受信して表示出力する処理とが実行されるので、電子メールによって自動でＷＷＷブラウザの起動時のＵＲＬを設定可能となり、ＷＷＷブラウザ起動時にはこのＵＲＬのホームページ情報を受信して出力できる。
【０００９】
このような記録媒体としては、ＲＯＭ、半導体ＩＣ等の半導体記録媒体、ＤＶＤＲＯＭ、ＣＤＲＯＭ等の光記録媒体、フレキシブルディスク等の磁気記録媒体、ＭＯ等の光磁気記録媒体等のデジタルコンテンツの記録、読み出しが可能な記録媒体が挙げられる
【発明の実施の形態】
以下、本発明の実施の形態を図面を参照しつつ説明する。先ず構成を説明する。
【００１０】
（構成）
図１は本発明の実施の形態の情報処理システムのブロック図である。この情報処理システムは、ＨＤ等の記録媒体に記録されたプログラムにしたがってＣＰＵが動作するようにして構成される情報処理装置２と、マウスやキーボード等の入力デバイスで実現可能な入力装置１と、ＣＲＴ等の表示デバイスで実現可能な出力装置３とを有して構成されており、外部ネットワークを介して所要の情報を外部と通信可能に構成されている。
【００１１】
情報処理装置２は、メーラー部２１と、ＵＲＬ保管部２２と、ＷＷＷブラウジング部２３と、通信制御部２４とを備えている。メーラー部２１は、表示処理部２１１と、ＵＲＬ抽出部２１２と、ＵＲＬ設定部２１３とを含んで成り、また、ＷＷＷブラウジング部２３は、ＵＲＬ読込部２３１と、表示処理部２３２とを含んで成っている。
【００１２】
これら処理部は概略次のように動作する。電子メールの表示処理部２１１は、受信した電子メールを出力装置３に表示する。ＵＲＬ抽出部２１２は、電子メールの内容の中に、ＷＷＷブラウザのスタート時のホームページのＵＲＬを変更する制御コマンドが書かれている否かをチェックする。ＵＲＬ設定部２１３は、ＵＲＬ抽出部２１２が抽出したＵＲＬをＵＲＬ保管部２２に保存する。ＵＲＬ読込部２３１は、ＵＲＬ保管部２２に保存されているＵＲＬを取り出す。表示処理部２３２は、取り出したＵＲＬのＷＷＷサーバからホームページの内容を受信して、出力装置３に表示する。
【００１３】
（動作例１）
次に、動作について説明する。図１乃至図３を参照して動作について詳細に説明する。先ず、図２に示すように、通信制御部２４が電子メールを受信する（ステップＡ１）と、表示処理部２１１は、電子メールの内容を出力装置３に表示すると同時に（ステップＡ２）、ＵＲＬ抽出部２１２に電子メールを渡す。
【００１４】
ＵＲＬ抽出部２１２は、電子メールの内容の中に、ＷＷＷブラウザのスタート時のホームページのＵＲＬを変更する制御コマンドが書かれている否かをチェックし、書かれていればそのＵＲＬを抽出する（ステップＡ３）。ＵＲＬ設定部２１３は、この抽出したＵＲＬをＵＲＬ保管部２２に保存する（ステップＡ４）。
【００１５】
次に、図３に示すように、この状態で使用者がＷＷＷブラウザを起動すると、ＵＲＬ読込部２３１は、ＵＲＬ保管部２２から保管されているスタート時のホームページのＵＲＬを取り出し（ステップＢ１）、次いで、表示処理部２３２は、通信制御部２４を介して、取り出したＵＲＬのＷＷＷサーバ（図示せず）からホームページの内容を受信して（ステップＢ２）、出力装置３に表示する（ステップＢ３）。
【００１６】
次に、図４を参照して具体例を説明する。図４に示すような電子メールを受信したとする。この電子メールは、ヘッダと本文と制御コマンドで成っており、電子メールの内容の中に制御コマンド（set-homepage）が書かれているので、ＵＲＬ「 http：//www．aaa．co．jp/gyoumu2．Html」 は、ＵＲＬ保管部２２に保存される。そして、使用者がＷＷＷブラウザを起動すると、ＷＷＷブラウザは、ＵＲＬ保管部２２からスタート時のホームページのＵＲＬを取り出して、そのＵＲＬのＷＷＷサーバからホームページの内容を受信して表示する。
【００１７】
したがって、ＵＲＬ設定部２１３が、外部からの電子メールにて指示されたＵＲＬを、ＷＷＷブラウザ起動時のＵＲＬとしてＵＲＬ保管部２２に保管し、ＷＷＷブラウジング部２３が、ＷＷＷブラウザの起動時に、保管されているＵＲＬのホームページ情報を受信して表示出力するので、電子メールによって自動でＷＷＷブラウザの起動時のＵＲＬを設定可能となり、ＷＷＷブラウザ起動時にはこのＵＲＬのホームページ情報を受信して出力できる。
【００１８】
ブラウザのスタート時のホームページの設定は、業務変更と同じ意味を持つ重要なものであり、本発明の実施形態では、このブラウザのスタート時のホームページを、使用者あるいは情報管理者が手動で情報処理装置毎にわざわざ設定変更しなくても、電子メールにより自動的に変更することを可能にすることにある。また、業務変更の柔軟性を提供することも可能となる。例えば運用開始当初は全ての情報処理装置に対してブラウザのスタート時のホームページのＵＲＬを同じく設定した場合、後になって半分の情報処理装置は別の業務用に変更しようとしても、手作業では台数が多いほど手間がかかるが、自動的に変更できれば業務変更を容易に実現することが可能である。さらに、使用者が毎日、異なる装置で異なる業務をしなければならないとしても、業務開始前に自分宛て電子メールを受信するだけで、その使用者が今日すべき業務メニューを表示することが可能となる。
【００１９】
（動作例２）
次に、本発明の他の動作について、図１、図５および図６を参照して詳細に説明する。先ず、通信制御部２４が電子メールを受信する（ステップＣ１）と、電子メールの表示処理部２１１は、電子メールを直ちに表示することなく、電子メールを図１では図示しない受信ボックスに保存する（ステップＣ２）。そして、電子メールを表示しなければこの保存を繰り返す（ステップＣ３）。電子メールを表示する場合には、入力装置１を操作して表示したい電子メールを選択して、表示させる（ステップＣ４）。
【００２０】
次に、ＵＲＬ抽出部２１２は、電子メールの内容の中に、ＷＷＷブラウザのスタート時のホームページのＵＲＬを変更する制御コマンドが書かれている否かをチェックし、書かれていればそのＵＲＬを抽出する（ステップＣ５）。この時に、図６のように、このＵＲＬが有効となる日付（符号Ａ）も一緒に書いておくことにより、電子メールを新しいものから古いものの順番で読んだとしても、古いＵＲＬで新しいメールが上書きされるという不具合を回避することができる（ステップＣ６）。即ち、ＵＲＬ設定部２１３は、電子メールにて指示されたＵＲＬをより新しいＵＲＬで置き換えてＵＲＬ保管部２２に保管していくようにすれば、常時より新しいＵＲＬがＵＲＬ保管部２２に保管されていくので、間違って古いＵＲＬで新しいＵＲＬを上書きすることがない。
【００２１】
さらに、その日付が未来の場合には、そのＵＲＬを予約しておき（ステップＣ７、Ｃ９）、ＷＷＷブラウザ起動時にＵＲＬを取り出す前に予約日を確認し、これが当日であればＵＲＬを変更してから表示するようにする。即ち、電子メールにて指示されたＵＲＬが、現時点より将来おける保存を指示するものである場合には、その将来が到来した時にそのＵＲＬをＷＷＷブラウザ起動時に用いることができるように予約しておけば、その将来が到来した時にそのＵＲＬをＷＷＷブラウザ起動時に用いることができるようにして、将来において用いるＵＲＬも電子メールで設定可能となる。
【００２２】
なお、図１に示す情報処理装置２は、その動作手順をプログラム化したものをＲＯＭやＨＤ等の記録媒体に記憶しておいて、これをＣＰＵが実行するようにして実現することができる。
【００２３】
以上、本発明の実施の形態について説明したきたが、本発明の要旨を逸脱しない範囲内において、本発明の実施の形態に対して種々の変形や変更を施すことができる。
【発明の効果】
以上説明してきたように、本発明によれば、電子メールによって自動でＷＷＷブラウザの起動時のＵＲＬを設定可能となり、ＷＷＷブラウザ起動時にはこのＵＲＬのホームページ情報を受信して出力できるという効果が得られる。
【図面の簡単な説明】
【図１】本発明の実施の形態である情報処理システムのブロック構成図である。
【図２】本発明の実施の形態の動作の説明図である。
【図３】本発明の実施の形態の動作の説明図である。
【図４】本発明の具体例の説明図である。
【図５】本発明の他の実施の形態の動作の説明図である。
【図６】他の具体例の説明図である。
【符号の説明】
１  入力装置
２  情報処理装置
３  出力装置
２１  メーラー部
２２  ＵＲＬ保管部
２３  ＷＷＷブラウジング部
２１１  表示処理部
２１２  ＵＲＬ抽出部
２１３  ＵＲＬ設定部
２３１  ＵＲＬ読込部
２３２  表示処理部
【図１】
0003931530.tif 000002
【図２】
0003931530.tif 000003
【図３】
0003931530.tif 000004
【図４】
0003931530.tif 000005
【図５】
0003931530.tif 000006
【図６】
0003931530.tif 000007